(57)【要約】【課題】  従来の生ごみ処理装置は、ごみの搬入出口（開口部）より雨水の侵入やはえ等の侵入がありこれを阻止できずにいた。しかるに、本発明は、支軸と回転ドラムとを偏心して構成したため、常態では開口部が下向きとなり、雨水の侵入やはえ等の侵入もない生ごみ処理装置を提供できた。【解決手段】  生ごみと生ごみ分解用の菌を内蔵する容器と、水平方向の支軸を中心に回転する回転ドラムとで構成し、該回転ドラムの周側面に生ごみ出し入れ用の開口部と、回転ドラム内に該開口部を開閉する内蓋を設けてなり、前記支軸に対して回転ドラムが偏心して備えられ、支軸の偏心と反対側に前記開口部を構成された生ごみ処理装置。１‥回転ドラム、２‥支軸、５‥開口部、６‥外蓋、８‥内蓋、Ｈ‥偏心差。【選択図】図１
2005288396.tif 000002
【特許請求の範囲】
【請求項１】
生ごみと生ごみ分解用の菌を内蔵する容器と、水平方向の支軸を中心に回転する回転ドラムとで構成し、該回転ドラムの周側面に生ごみ出し入れ用の開口部と、回転ドラム内に該開口部を開閉する内蓋を設けてなり、前記支軸に対して回転ドラムが偏心して備えられ、支軸の偏心と反対側に前記開口部を構成されたことを特徴とする生ごみ処理装置。
【請求項２】
支軸と回転ドラムとが機構的に偏心している請求項１記載の生ごみ処理装置。
【請求項３】
支軸と回転ドラムとが重量的に偏心している請求項１記載の生ごみ処理装置。
【請求項４】
前記開口部の内側において、回転ドラムの円周方向の一端に、前記の水平軸と直角方向に揺動するように、内蓋を装着した請求項１記載の生ごみ処理装置。
【請求項５】
前記回転ドラムの左右底面に、前記開口部と反対側に通気孔を形成した請求項１記載の生ごみ処理装置。
【請求項６】
生ごみを分解させるための菌をまぶしたピートモスを前記の回転ドラム中に内蔵してなる請求項１記載の生ごみ処理装置。
【発明の詳細な説明】
【技術分野】
【０００１】
本発明は、家庭等から発生する生ごみを分解させるための処理装置に関する。
【背景技術】
【０００２】
近年、家庭等から発生する生ごみを生ごみ処理菌によって分解させることが行なわれている。この生ごみ処理装置としては、生ごみと生ごみ処理菌を静置した容器内に投入する構造と、容器中で攪拌する構造とが知られている。後者の生ごみ処理装置は、モータによって攪拌羽根や攪拌スクリュー等を容器の中で回転させる構造になっている。そして、攪拌時には間欠的に攪拌させるものや、生ごみの投入後の一定時間のみ攪拌させる構造等がある。
【０００３】
しかるに、従来の攪拌構造の生ごみ処理装置は特別の駆動モータを必要とし、しかも装置が大がかりで、かつ高価なため、生ごみが大量に発生する施設やホテル、レストラン等には向いているが一般の家庭には適しない構造となっている。
【０００４】
一方、家庭用の生ごみ処理装置は、攪拌機構のない構造のものが多いが、静置構造なために攪拌が不十分で、生ごみの分解が効率的に行なわれない。
【０００５】
攪拌機構の付いている生ごみ装置の例としては特許文献１が挙げられる。
【０００６】
【特許文献１】実用新案登録第３０２５３７０号
【０００７】
特許文献１にあっては、モ−タ等の駆動源を持たない攪拌装置構造であるが、未だ解決すべき問題はあり、生ごみの搬入出口（開口部）より雨水の侵入やはえ等の侵入があり、これを阻止する手段がなく、広く実用化に至っていないのが現状である。
【発明の開示】
【発明が解決しようとする課題】
【０００８】
本発明は以上の課題を解決するためになされたものであり、上記した従来の欠点を解消し、特徴ある生ごみ装置を提供することを目的とするものである。
【課題を解決するための手段】
【０００９】
本発明の要旨は、生ごみと生ごみ分解用の菌を内蔵する容器と、水平方向の支軸を中心に回転する回転ドラムとで構成し、該回転ドラムの周側面に生ごみ出し入れ用の開口部と、回転ドラム内に該開口部を開閉する内蓋を設けてなり、前記支軸に対して回転ドラムが偏心して備えられ、支軸の偏心と反対側に前記開口部を構成されたことを特徴とする生ごみ処理装置に係るもので、支軸と回転ドラムとが機構的に、或いは、重量的に偏心しているものである。
【００１０】
そして、好ましくは、前記開口部の内側において、回転ドラムの円周方向の一端に前記の水平軸と直角方向に揺動するように、内蓋を装着した構造であって、前記回転ドラムの左右底面に、前記開口部と反対側に通気孔を形成し、更には、生ごみを分解させるための菌をまぶしたピートモスを前記の回転ドラム中に内蔵してなるものである。
【発明の効果】
【００１１】
本発明は、モ−タ等の駆動源を持たない生ごみ処理装置であって、上記の構造としたため、生ごみの搬入出口のための開口部は常態では下向きとなり、ここより雨水の侵入やはえ等の侵入もない優れた生ごみ処理装置を提供できたものである。
【発明を実施するための最良の形態】
【００１２】
請求項１は、水平方向の支軸を中心に回転する回転ドラムを偏心（Ｈ）して備えたものであり、支軸の偏心と反対側の部位の常態で下側になる回転ドラムの周側面に開口部を備えると共に、この開口部に、好ましくは開閉する外蓋を設け、該開口部の内側において、回転ドラムの円周方向の一端に、前記の回転軸と直角方向に揺動するように、内蓋を装着した構造の生ごみ処理装置である。
【００１３】
このように、常態で開口部が常に下向きになっているため、ごみ処理装置を屋外に置いた場合でも雨水の侵入はなく、しかもこの状態で内蓋が開いてしまうことはない。このように、内蓋を装着したことで回転ドラムを攪拌方向に回転させると開口部が内蓋によって内側から自動的に閉じられるので、ピートモス等が開口部からこぼれ落ちることなしに攪拌される。又、取り出し方向に回転させると開口部が真下に来た時点では開口部は開いた状態となりピートモスが落下し取り出せる。即ち、回転ドラムの回転方向を変えるだけで開口部の内蓋が開閉することになり、攪拌と取り出しが自動的に行なわれるという特徴がある。
【００１４】
請求項２及び請求項３は、常態で開口部が常に下向きになるように工夫した構造を示すものであり、支軸と回転ドラムとが機構的に偏心（Ｈ）し、或いは、重量的に偏心（Ｈ）させるものである。これによって回転をやめた常態で、常に開口部が下向きの位置になることが保証されるものであり、この開口部より雨水の侵入は全くなくなることになる。
【００１５】
請求項４は、前記開口部の内側において、回転ドラムの円周方向の一端に、前記の水平軸と直角方向に揺動するように、内蓋を吊り下げた生ごみ処理装置であって、このため、前述したように左右のいずれかに回転することによって開口部の開閉が自在になされるものであり、生ごみの投入或いは発酵後の生ごみの取り出しが自由に行えることになるという特徴がある。
【００１６】
請求項５は、回転ドラムの左右底面に開口部との特定関係をもって通気孔が形成された生ごみ処理装置であり、この通気孔を介して内外の空気が流通できるので、好気性菌の活性化と、発酵熱の放散が円滑に行なわれることになる。
【００１７】
請求項６は、生ごみを分解させるための菌を含ませたピートモスを回転ドラム中に内蔵してなる生ごみ処理装置であり、ピートモスによって生ごみ分解菌の維持が容易になり生ごみとの混合も円滑に行なわれる。
【実施例】
【００１８】
以下、実施例をもって更に詳細に説明する。
図１は本発明による生ごみ処理装置の斜視図である。１は回転ドラムであり、該回転ドラム１より一方に偏心（偏心差Ｈ（回転ドラムの中心と支軸２との間隔））して水平の支軸２が貫通している。尚、図例ではスタンド３の先端は軸受け４になっており、支軸２の両端がこれに回転可能に支持されている。
【００１９】
即ち、支軸２が開口部５と反対側に偏心（Ｈ）して備えられているもので、常態（回転させない状態）で下向きの部位（回転ドラム１の側面部）に開口部５を形成するものである。従って、例え回転ドラム１が雨水に曝されても開口部５が常態で下向きになっているため、雨水の侵入はなく、安定した処理が可能となったものである。尚、外側に防虫ネット及び外蓋６を被せる構造にすることも可能である。更に、回転ドラム１の両端の左右底面には、支軸２に対して開口部５と反対側に多数の通気孔７が開けてある。
【００２０】
図２は蓋構造の詳細を例示する縦断面図であり、開口部５の内側には、内蓋８が吊り下げられて装着されている。即ち、開口部５の内側において、回転ドラム１の円周方向の一端に前記の支軸２と直角方向に揺動するように内蓋８が装着してあり、この内蓋８は開口部５を内側から閉じたり開けたりする機能を有するものである。
【００２１】
尚、外蓋６は、合成樹脂やゴム等のような柔軟性のある板で構成されており、例えば、外蓋６の右端が開口部５の外側において回転ドラム１の円周方向の一端（図示例では右端）に固定されている。そして、外蓋６の左端が自由端になっており、この自由端側に固定用の金具９が付いている。一方、開口部５の外側において、回転ドラム１の円周方向の他端（図示例では左端）に、固定金具１０が取り付けられているため、外蓋６は閉じた状態で金具９と１０によって回転ドラム１に固定されることになる。
【００２２】
〔生ごみ投入・攪拌操作〕
図３は回転ドラム１中に生ごみを投入した際の攪拌操作を示す回転ドラム１の断面図であり、回転ドラム１中に生ごみを分解する菌や土中のバクテリヤをまぶしたピートモス１２を内蔵してある。
【００２３】
即ち、本発明の生ごみ処理装置は、攪拌構造ではあるがモータ等を使用するのでなく人間が手で回転ドラム１を回す（又はハンドル１１を回す）ことによって、例えば１〜３回転程度回転させるものである。
【００２４】
回転ドラム１中に生ごみを投入する場合は、図３の（１）図のように、開口部５が上向きの状態において、外蓋（図示せず）を開け生ごみを開口部５から投入する。この場合、内蓋８は、回転ドラム１中で鉛直方向にぶら下がった状態になっている。
【００２５】
投入後は、回転ドラム１を１〜３回程度回転させて、ピートモス１２と混合する必要がある。その際、回転ドラム１を矢印Ａ方向（左方向）に回転させるだけでよい。即ち、図３の（１）図の状態より、回転ドラム１を左向きに回転させると、内蓋８は図３の（２）のようにぶら下がった状態で開口部５の内側に次第に接近し開口部５を閉じる方向に作用する。
【００２６】
回転ドラム１が更に左方向に回転して図３の（３）のように開口部５が真下まで移動すると、内蓋８が開口部５の内側に添って開口部５を内側から閉じた状態となり、内蓋８の内面上に内部の生ごみやピートモス１２が流れ込む。このように、開口部５が内蓋８で内側から閉じられるので内部の生ごみやピートモスがこぼれ落ちるようなことはない。
【００２７】
回転ドラム１が更に回転すると、図３の（４）のように内蓋８の自由端が上向きとなり、ついには内蓋８の重心位置が回転ドラム１中心側に移動し矢印Ｂで示す方向に倒れる。そして今度は装着側が上側となり、内蓋８が吊り下げ状態となりながら元の図３の（１）の状態に移行し開口部５が上側にくる。本発明は以上の回転を複数回行うのがよく、２〜３回ドラムを回転をするだけで十分に攪拌される。
【００２８】
本発明にあっては、回転ドラム１と支軸２とを偏心（Ｈ）して備えられていることにより、回転しない場合、即ち、常態では図３の（３）のように開口部５が常に下側になっていることから、内蓋８が常に回転ドラム１の内壁に接触してドラム内に閉鎖空域を構成し、かつ、内蓋８が開くことはなく、更に、雨水の侵入は全くなくなったものである。
【００２９】
〔取り出し操作〕
生ごみを投入する度に、前記のように回転ドラムを回転させてピートモスと攪拌混合させるが、１〜２か月たつと堆肥化されて残存する。次に、この堆肥の取り出し操作を図４にて説明する。
【００３０】
回転ドラム１と支軸２とは前記したように偏心（Ｈ）した位置関係にあるため、図４の（１）のように、常態では開口部５が真下に位置し、内蓋８が内側より開口部５を塞ぐ状態となっている。そして、回転ドラム１をＣの方向（右向き）に回転させると内蓋８は図４の（２）のように開口部５よりやや開く状態となり、更に回転して図４の（３）まで回転すると、内蓋８は内側にぶら下がる状態となり、開口部５と内蓋８との関係だけで言えば、開口部５は開いたままとなる。
【００３１】
更に回転して、図４の（４）となると、内蓋８は回転ドラム１の内側に反転した状態となる。そして、更に回転して開口部５が真下にきた際には、図４の（５）に示すように内蓋８は反転したままであり、ここに内部の堆肥が開口部５より取り出すことが可能となるものである。即ち、回転ドラム１の開口部５が真下まで来ると開口部５は開いたままのため、内部に溜まっていた堆肥１３が開口部５から落下し取り出される。この際、通常設置される外蓋６も回転ドラム１の外側にぶら下がった状態となるため、内部の堆肥の取り出しに支障はない。
【００３２】
内部の堆肥を落下させて取り出した後、回転ドラム１を更に同じ方向に回転させると、内蓋８の重心が回転ドラム中心側に移動した際に内蓋８が矢印Ｄ方向に倒れ、再び吊り下げ状態となりながら元の状態に戻る。
【００３３】
そして、生ごみ分解菌をまぶしたピートモスとバクテリヤの付着した土を新たに回転ドラム１中に投入して次の生ごみ処理を再開する。
【００３４】
尚、図示例では内蓋８は開口部５の右側の端部に吊り下げられているが、左側の端部に吊り下げてもよいことは勿論であり、この場合には攪拌時と取り出し時の回転方向は前記説明とは逆になることは言うまでもない。
【００３５】
又、回転ドラム１を攪拌方向に回転させることで内部のピートモスと生ごみが自動的に攪拌されるが、攪拌効果をより高めるためには回転ドラムの内面に図示しない攪拌ピンを設けておいてもよい。
【００３６】
前記の実施例では生ごみを分解するための菌として好気性菌や土中バクテリヤを用いている。このため、回転ドラム１の両端の左右底面には直径１０ｍｍ程度の小さな通気孔７を多数開け、内外の空気が自然に流通して自然対流が起きるようにするのがよい。その結果、発酵熱の放熱効果にすぐれ、外部から酸素が効果的に補給され、好気性菌の働きが活性化され、生ごみの分解が促進される。
【産業上の利用可能性】
【００３７】
生ごみと生ごみ分解用の菌を内蔵する容器が、水平方向の軸を中心に回転する回転ドラムで構成されているため、手で押すだけで内部の生ごみとピートモスなどを攪拌でき、特別の動力を要しないので家庭用として用いる小型で簡易型の生ごみ処理装置として適用できるものである。
【００３８】
そして、回転ドラムと支軸とを偏心させたことにより、回転ドラムを攪拌方向に回転させると開口部が内蓋によって内側から自動的に閉じられるので、ピートモス等が開口部からこぼれ落ちることなしに攪拌される。又、逆方向に回転させると開口部が開いた状態で真下に移動してピートモスが自然落下し取り出せる。このように、回転方向を変えるだけで攪拌と取り出しが自動的に行なわれる特徴があり、更に常態では開口部が真下にあることにより、回転ドラム内に雨水の侵入が阻止でき、生ごみ処理装置を屋外に設置することも可能となったものである。
【図面の簡単な説明】
【００３９】
【図１】本発明による生ごみ処理装置の一例を示す斜視図である。
【図２】蓋構造の詳細を示す断面図である。
【図３】攪拌動作を示す回転ドラムの断面図である。
【図４】取り出し動作を示す回転ドラムの断面図である。
【符号の説明】
【００４０】
１‥回転ドラム
２‥支軸
５‥開口部
６‥外蓋
８‥内蓋
１１‥ハンドル
１２‥ピートモス
１３‥堆肥
Ｈ‥偏心差
【図１】
2005288396.tif 000003
【図２】
2005288396.tif 000004
【図３】
2005288396.tif 000005
【図４】
2005288396.tif 000006